(57)【要約】【課題】  マルチ構成のディスプレイ装置に表示される設定画面を離れた位置から判読することができるように拡大することができる表示装置を提供する。【解決手段】  最も上流側にあるマスタディスプレイは、設定画面を拡大して表示するために必要なディスプレイ１０を特定する。そして、設定画面を表す設定画面情報、拡大倍率情報および特定したディスプレイのディスプレイＩＤと、モード２コマンドとを、下流側のディスプレイ１０、すなわちスレーブディスプレイに送信する。スレーブディスプレイは、モード２コマンドを受信すると、受信したディスプレイＩＤが自ディスプレイＩＤを含むとき、設定画面情報が示す設定画面のうち、自ディスプレイで表示すべき部分を、拡大倍率情報が示す拡大倍率に拡大して、画像情報に重畳して、表示器１４に表示する。【選択図】      図１
2011244356.tif 000002
【特許請求の範囲】
【請求項１】
画像を表す画像情報または自装置の設定を行うための設定画面を表す設定画面情報を表示するための表示手段をそれぞれ有し、それぞれ隣接して予め定める配置位置に配置される複数のディスプレイ装置であって、１つの表示手段に表示するための画像情報を拡大して該複数のディスプレイ装置の表示手段に表示することができる複数のディスプレイ装置を含み、
各ディスプレイ装置は、
前記複数のディスプレイ装置の１つを主ディスプレイ装置とし、主ディスプレイ装置を除く残余のディスプレイ装置を従ディスプレイ装置に設定する主従設定手段と、
予め定めるディスプレイ装置の設定画面情報が示す設定画面の大きさを予め定める倍率に拡大した拡大設定画面を表示するために必要なディスプレイ装置を特定する特定手段と、
主従設定手段によって従ディスプレイ装置に設定されたディスプレイ装置に、特定手段によって特定されたディスプレイ装置を識別するための識別情報、予め定める倍率を表す拡大倍率情報、および設定画面情報を送信する送信手段と、
他ディスプレイ装置の送信手段によって送信された識別情報、拡大倍率情報および設定画面情報を受信する受信手段と、
受信手段によって受信された識別情報が自ディスプレイ装置の識別情報に一致すると、受信手段によって受信された設定画面情報が示す設定画面のうち、自ディスプレイ装置に表示すべき部分を特定し、特定した設定画面の部分を、受信手段によって受信された拡大倍率情報が示す倍率に拡大し、拡大した設定画面の部分を表す拡大設定画面部分情報を表示手段に表示させる表示制御手段とを含むことを特徴とする表示装置。
【請求項２】
ディスプレイ装置を操作するための操作装置をさらに含み、
各ディスプレイ装置は、操作装置で行われる操作を主ディスプレイ装置に対してのみ有効とする有効手段をさらに含み、
前記表示制御手段は、前記予め定めるディスプレイ装置の設定画面情報を主ディスプレイ装置の表示手段に表示させ、
前記予め定める倍率は、前記表示制御手段によって主ディスプレイ装置の表示手段に表示された設定画面情報が示す設定画面に応答して、操作装置によって設定された倍率であることを特徴とする請求項１に記載の表示装置。
【請求項３】
前記設定画面情報が示す設定画面は、前記複数のディスプレイ装置の中から１つのディスプレイ装置を選択する選択項目を含み、
前記予め定めるディスプレイ装置は、前記表示制御手段によって主ディスプレイ装置の表示手段に表示された設定画面情報が示す設定画面の選択項目に応答して、操作装置によって設定されたディスプレイ装置であることを特徴とする請求項２に記載の表示装置。
【請求項４】
前記表示手段は、液晶パネルおよび該液晶パネルの周縁に設けられる額縁部を含み、
画像情報および設定画面情報のうち、画像情報に対してのみ額縁部に表示しているように額縁補正を行う額縁補正手段を含むことを特徴とする請求項１〜３のいずれか１つに記載の表示装置。
【発明の詳細な説明】
【技術分野】
【０００１】
本発明は、複数のディスプレイ装置から構成されるマルチディスプレイ装置で情報を拡大して表示することができる表示装置に関する。
【背景技術】
【０００２】
液晶パネルを有する複数のディスプレイ装置（以下「ディスプレイ」という）から構成されるマルチ構成のマルチディスプレイ装置では、ディスプレイを操作するとき、全体を見渡せる程度にディスプレイから離れて操作することになる。しかし、通常、ディスプレイに表示されるメニュー画面の領域の広さは、ディスプレイ単体の大きさおよび情報量に合わせて決められている。また、ディスプレイはメニュー画面の拡大機能を有していても、拡大することができる領域の広さは、ディスプレイのサイズが限界である。
【０００３】
複数のディスプレイの調整または設定を行う場合、リモートコントローラ（以下「リモコン」という）などを用いて、個々のディスプレイの画面に、それぞれの設定メニュー画面を表示して行う。しかし、マルチディスプレイ装置では、調整対象のディスプレイの設定状態を確認しながら設定するために、全体を見渡せる程度にディスプレイから離れて操作するが、ディスプレイから離れ過ぎると設定メニュー画面に表示される文字が小さくなって見づらくなる。マルチディスプレイ装置を構成するディスプレイの数が多くなると、全体を見渡すためには、より離れる必要があり、さらに見づらくなるという問題がある。
【０００４】
従来の技術として特許文献１に記載される表示装置がある。この表示装置は、複数のディスプレイに相当する表示装置によって構成され、複数のディスプレイのうちの１つのディスプレイにメニュー画面を表示する。そして、リモコンまたは本体操作部の操作によって、メニュー画面の表示サイズを任意のサイズに設定することができ、また、メニュー画面を任意のディスプレイに表示することもできる。
【先行技術文献】
【特許文献】
【０００５】
【特許文献１】特開２００６−３５２５１１号公報
【発明の概要】
【発明が解決しようとする課題】
【０００６】
前記従来の技術は、少ない数のディスプレイによって構成されるマルチ構成、たとえば２×２構成あるいは３×３構成などのマルチ構成では、全体を見渡すためにディスプレイからそれほど離れる必要がない。したがって、前記従来の技術は、その位置からメニュー画面を見ることができるので、有効な技術である。しかしながら、メニュー画面に表示する情報量が多い場合、あるいは多くのディスプレイで構成されるマルチ構成では、全体を見渡すためには、ディスプレイから離れる必要があり、ディスプレイから離れると、メニューの表示を視認することができない。逆に、メニューの表示を視認するためには、ディスプレイに近づく必要があり、全体を見渡すことができない。メニュー画面の表示サイズを任意のサイズに設定することはできるが、１つのディスプレイの画面サイズ以上には拡大することができない。
【０００７】
本発明の目的は、マルチ構成のディスプレイ装置に表示される設定画面を離れた位置から判読することができるように拡大することができる表示装置を提供することである。
【課題を解決するための手段】
【０００８】
本発明は、画像を表す画像情報または自装置の設定を行うための設定画面を表す設定画面情報を表示するための表示手段をそれぞれ有し、それぞれ隣接して予め定める配置位置に配置される複数のディスプレイ装置であって、１つの表示手段に表示するための画像情報を拡大して該複数のディスプレイ装置の表示手段に表示することができる複数のディスプレイ装置を含み、
各ディスプレイ装置は、
前記複数のディスプレイ装置の１つを主ディスプレイ装置とし、主ディスプレイ装置を除く残余のディスプレイ装置を従ディスプレイ装置に設定する主従設定手段と、
予め定めるディスプレイ装置の設定画面情報が示す設定画面の大きさを予め定める倍率に拡大した拡大設定画面を表示するために必要なディスプレイ装置を特定する特定手段と、
主従設定手段によって従ディスプレイ装置に設定されたディスプレイ装置に、特定手段によって特定されたディスプレイ装置を識別するための識別情報、予め定める倍率を表す拡大倍率情報、および設定画面情報を送信する送信手段と、
他ディスプレイ装置の送信手段によって送信された識別情報、拡大倍率情報および設定画面情報を受信する受信手段と、
受信手段によって受信された識別情報が自ディスプレイ装置の識別情報に一致すると、受信手段によって受信された設定画面情報が示す設定画面のうち、自ディスプレイ装置に表示すべき部分を特定し、特定した設定画面の部分を、受信手段によって受信された拡大倍率情報が示す倍率に拡大し、拡大した設定画面の部分を表す拡大設定画面部分情報を表示手段に表示させる表示制御手段とを含むことを特徴とする表示装置である。
【０００９】
また本発明は、ディスプレイ装置を操作するための操作装置をさらに含み、
各ディスプレイ装置は、操作装置で行われる操作を主ディスプレイ装置に対してのみ有効とする有効手段をさらに含み、
前記表示制御手段は、前記予め定めるディスプレイ装置の設定画面情報を主ディスプレイ装置の表示手段に表示させ、
前記予め定める倍率は、前記表示制御手段によって主ディスプレイ装置の表示手段に表示された設定画面情報が示す設定画面に応答して、操作装置によって設定された倍率であることを特徴とする。
【００１０】
また本発明は、前記設定画面情報が示す設定画面は、前記複数のディスプレイ装置の中から１つのディスプレイ装置を選択する選択項目を含み、
前記予め定めるディスプレイ装置は、前記表示制御手段によって主ディスプレイ装置の表示手段に表示された設定画面情報が示す設定画面の選択項目に応答して、操作装置によって設定されたディスプレイ装置であることを特徴とする。
【００１１】
また本発明は、前記表示手段は、液晶パネルおよび該液晶パネルの周縁に設けられる額縁部を含み、
画像情報および設定画面情報のうち、画像情報に対してのみ額縁部に表示しているように額縁補正を行う額縁補正手段を含むことを特徴とする。
【発明の効果】
【００１２】
本発明によれば、複数のディスプレイ装置は、画像を表す画像情報または自装置の設定を行うための設定画面を表す設定画面情報を表示するための表示手段をそれぞれ有し、それぞれ隣接して予め定める配置位置に配置される。そして、該複数のディスプレイ装置は、１つの表示手段に表示するための画像情報を拡大して該複数のディスプレイ装置の表示手段に表示することができる。各ディスプレイ装置は、主従設定手段と、特定手段と、送信手段と、受信手段と、表示制御手段とをさらに含む。主従設定手段は、前記複数のディスプレイ装置の１つを主ディスプレイ装置とし、主ディスプレイ装置を除く残余のディスプレイ装置を従ディスプレイ装置に設定する。特定手段は、予め定めるディスプレイ装置の設定画面情報が示す設定画面の大きさを予め定める倍率に拡大した拡大設定画面を表示するために必要なディスプレイ装置を特定する。送信手段は、主従設定手段によって従ディスプレイ装置に設定されたディスプレイ装置に、特定手段によって特定されたディスプレイ装置を識別するための識別情報、予め定める倍率を表す拡大倍率情報、および設定画面情報を送信する。受信手段は、他ディスプレイ装置の送信手段によって送信された識別情報、拡大倍率情報および設定画面情報を受信する。そして、表示制御手段は、受信手段によって受信された識別情報が自ディスプレイ装置の識別情報に一致すると、受信手段によって受信された設定画面情報が示す設定画面のうち、自ディスプレイ装置に表示すべき部分を特定し、特定した設定画面の部分を、受信手段によって受信された拡大倍率情報が示す倍率に拡大し、拡大した設定画面の部分を表す拡大設定画面部分情報を表示手段に表示させる。したがって、マルチ構成のディスプレイ装置に表示される設定画面を離れた位置から判読することができるように拡大することができる。
【００１３】
また本発明によれば、操作装置は、ディスプレイ装置を操作する。有効手段は、各ディスプレイ装置は、操作装置で行われる操作を主ディスプレイ装置に対してのみ有効とする。前記表示制御手段は、前記予め定めるディスプレイ装置の設定画面情報を主ディスプレイ装置の表示手段に表示させる。そして、前記予め定める倍率は、前記表示制御手段によって主ディスプレイ装置の表示手段に表示された設定画面情報が示す設定画面に応答して、操作装置によって設定された倍率である。したがって、表示装置が複数のディスプレイ装置で構成されていても、１つディスプレイ装置に対して、操作装置によって拡大倍率を指定することができる。
【００１４】
また本発明によれば、前記設定画面情報が示す設定画面は、前記複数のディスプレイ装置の中から１つのディスプレイ装置を選択する選択項目を含む。そして、前記予め定めるディスプレイ装置は、前記表示制御手段によって主ディスプレイ装置の表示手段に表示された設定画面情報が示す設定画面の選択項目に応答して、操作装置によって設定されたディスプレイ装置である。したがって、表示装置が複数のディスプレイ装置で構成されていても、操作装置によって、調整対象のディスプレイとして１つディスプレイ装置を選択することができる。
【００１５】
また本発明によれば、前記表示手段は、液晶パネルおよび該液晶パネルの周縁に設けられる額縁部を含む。そして、額縁補正手段は、画像情報および設定画面情報のうち、画像情報に対してのみ額縁部に表示しているように額縁補正を行う。したがって、画像情報の間延びを防止するとともに、設定画面に表示される設定項目および設定情報などの文字情報の欠落を防止することができる。
【図面の簡単な説明】
【００１６】
【図１】本発明の一実施形態であるマルチディスプレイ装置１の構成および接続を示すブロック図である。
【図２】ディスプレイ１０の構成を示すブロック図である。
【図３】ＲＳ−２３２Ｃ入力接続部１８およびＲＳ−２３２Ｃ出力接続部１９のコネクタを示す図である。
【図４】スケーラー部１１の構成を示すブロック図である。
【図５】額縁補正を説明するための図である。
【図６】リモコン３０の外観図である。
【図７】リモコン３０によるマルチディスプレイ装置１の操作を説明するための図である。
【図８】マスタディスプレイおよびスレーブディスプレイに表示される画面例を示す図である。
【図９】ディスプレイＩＤの調整メニュー画面４０の一例を示す図である。
【図１０】ディスプレイＩＤ情報４１の色の変化を説明するための図である。
【図１１】ディスプレイＩＤ情報４１の背景が赤色に変更された後の調整メニュー画面４０ｃの一例を示す図である。
【図１２】調整メニュー画面４０ｃから拡大メニュー画面４２への切り換えを説明するための図である。
【図１３】ＭＥＮＵボタン押下に伴う設定画面の変化を説明するための図である。
【図１４】拡大メニュー画面４２での操作によって拡大された拡大メニュー画面４２ａの一例を示す図である。
【図１５】リモコン３０の有効無効を制御するための回路図である。
【図１６】拡大メニュー画面４４の一例を示す図である。
【図１７】拡大前後の表示例を示す図である。
【図１８】設定画面に対する額縁補正を説明するための図である。
【図１９】ＣＰＵ２１が実行するマスタスレーブ判定処理の処理手順を示すフローチャートである。
【００１７】
【図２０】マスタディスプレイのＣＰＵ２１が実行するマスタ処理の処理手順を示すフローチャートである。
【００１８】
【図２１】スレーブディスプレイのＣＰＵ２１が実行するスレーブ処理の処理手順を示すフローチャートである。
【図２２】ＣＰＵ２１が実行する拡大倍率・始点情報処理の処理手順を示すフローチャートである。
【図２３】ＣＰＵ２１が実行する対象ディスプレイ特定処理の処理手順を示すフローチャートである。
【図２４】ＣＰＵ２１が実行する拡大表示処理の処理手順を示すフローチャートである。
【発明を実施するための形態】
【００１９】
図１は、本発明の一実施形態であるマルチディスプレイ装置１の構成および接続を示すブロック図である。表示装置であるマルチディスプレイ装置１は、それぞれ隣接して配置される複数のディスプレイ装置（以下「ディスプレイ」という）１０および後述するリモートコントローラ（以下「リモコン」という）３０によって構成される。
【００２０】
図１に示したマルチディスプレイ装置１は、９台のディスプレイ１０を上下３段左右３列に配置した構成（以下「３×３構成」という）である。以下、各ディスプレイ１０を区別する必要がある場合は、ディスプレイ１０の参照符「１０」に添え字「ａ」〜「ｉ」を付して各ディスプレイ１０を区別し、ディスプレイ１０ａ〜１０ｉに共通し、区別する必要がない場合は、ディスプレイ１０を用いる。
【００２１】
ディスプレイ１０は、ＲＳ−２３２Ｃ（Recommended Standard 232 version C）入力接続部１８およびＲＳ−２３２Ｃ出力接続部１９を含んで構成される。ＲＳ−２３２Ｃは、シリアル通信規格の名称である。ＲＳ−２３２Ｃ入力接続部１８およびＲＳ−２３２Ｃ出力接続部１９についても、添え字「ａ」〜「ｉ」を付してそれぞれを区別する。ディスプレイ１０ａ〜１０ｉは、それぞれＲＳ−２３２Ｃ入力接続部１８ａ〜１８ｉおよびＲＳ−２３２Ｃ出力接続部１９ａ〜１９ｉを含んで構成される。受信手段であるＲＳ−２３２Ｃ入力接続部１８は、信号を入力するためのコネクタおよび情報を受信する受信部を含んで構成される。送信手段であるＲＳ−２３２Ｃ出力接続部１９は、信号を出力するためのコネクタおよび情報を送信する送信部を含んで構成される。受信部は受信した情報をスケーラー部１１に送り、送信部は、スケーラー部１１から受け取る情報を送信する。
【００２２】
ＲＳ−２３２Ｃ入力接続部１８は、上流側のディスプレイ１０のＲＳ−２３２Ｃ出力接続部１９に一端が接続されるＲＳ−２３２Ｃ用接続ケーブルの他端が接続される。ＲＳ−２３２Ｃ用接続ケーブルでの接続は、デイジーチェイン接続である。マルチディスプレイ装置１では、接続構成および接続順序は予め規定されており、たとえばマルチディスプレイ装置１の表示画面に向かって、最上段の最も左側の列のディスプレイ１０を起点にして、順次右隣りのディスプレイ１０に接続され、最も右側の列のディスプレイ１０は、次の段の最も左側の列のディスプレイ１０に接続され、以降終点となる最下段の最も右側の列のディスプレイ１０まで接続される。以下接続構成が規定されている例で説明するが、規定を設けることなく自由な接続を可能にして、接続された構成を表す情報を各ディスプレイに設定するようにしてもよい。予め規定されている接続構成および接続順序は、予め定める配置位置である。
【００２３】
図１に示したマルチディスプレイ装置１では、ＲＳ−２３２Ｃ用接続ケーブルＫ１によって、ＲＳ−２３２Ｃ出力接続部１９ａとＲＳ−２３２Ｃ入力接続部１８ｂとが接続され、ＲＳ−２３２Ｃ用接続ケーブルＫ２によって、ＲＳ−２３２Ｃ出力接続部１９ｂとＲＳ−２３２Ｃ入力接続部１８ｃとが接続され、以降同様に、ＲＳ−２３２Ｃ用接続ケーブルＫ８まで、上流側のディスプレイ１０のＲＳ−２３２Ｃ出力接続部１９と、下流側のディスプレイ１０のＲＳ−２３２Ｃ入力接続部１８とが接続される。
【００２４】
図２は、ディスプレイ１０の構成を示すブロック図である。ディスプレイ１０は、上述したＲＳ−２３２Ｃ入力接続部１８およびＲＳ−２３２Ｃ出力接続部１９のほかに、スケーラー部１１、第１メモリ１２、第２メモリ１３、表示器１４、受光部１５、画像信号入力部１６およびローカルエリアネットワーク（Local Area Network：略称ＬＡＮ）接続部１７を含んで構成される。
【００２５】
スケーラー部１１は、後述する中央処理装置（以下「ＣＰＵ」という）２１、表示制御回路部２２およびオンスクリーンディスプレイ（On-Screen Display：略称ＯＳＤ）回路部２３を含む集積化された回路部によって構成される。第１メモリ１２は、たとえば半導体メモリによって構成され、後述するケーブルチェック（以下「Ｃａｂｌｅ＿ｃｋ」という）レジスタ情報、後述する拡大倍率情報、後述する始点情報およぶディスプレイＩＤなどの情報を記憶する。ディスプレイＩＤは、各ディスプレイ装置を識別するための識別情報である。第２メモリ１３は、たとえば半導体メモリによって構成され、ＣＰＵによって実行される制御プログラム、マルチディスプレイ装置１に関する情報、ＲＳ−２３２Ｃに関する情報などを記憶する。第１メモリ１２および第２メモリ１３への情報の書き込み、ならびに第１メモリ１２および第２メモリ１３からの情報の読み出しは、ＣＰＵによって行われる。
【００２６】
表示手段である表示器１４は、たとえば液晶パネルによって構成され、スケーラー部１１から受け取る画像情報などの情報を液晶パネルに表示する。受光部１５は、後述するリモコン３０から送信される光信号を受信し、光信号が表す情報をスケーラー部１１に送る。
【００２７】
画像信号入力部１６は、外部装置から入力される画像信号が入力されるコネクタによって構成される。外部装置から入力される画像信号は、たとえばパーソナルコンピュータから出力されるアナログ信号、ＤＶＩ（Digital Visual Interface）信号もしくはディスプレイポート（DisplayPort）信号、または、オーディオビデオ機器から出力されるコンポジット信号、コンポーネント信号もしくはＨＤＭＩ（High-Definition Multimedia 
Interface）信号などである。ＬＡＮ接続部１７は、ＬＡＮケーブルを接続するコネクタを含み、ＬＡＮによる情報の送受信を制御する。ＬＡＮ接続部１７は、受信する情報をスケーラー部１１に送り、スケーラー部１１から受け取る情報を送信する。
【００２８】
図３は、ＲＳ−２３２Ｃ入力接続部１８およびＲＳ−２３２Ｃ出力接続部１９のコネクタを示す図である。ＲＳ−２３２Ｃ入力接続部１８のコネクタは、端子Ａ１〜Ａ９を含み、ＲＳ−２３２Ｃ出力接続部１９のコネクタは、端子Ｂ１〜Ｂ９を含む。
【００２９】
ＲＳ−２３２Ｃ入力接続部１８のコネクタの端子Ａ９は、一端がアースに接続される第１抵抗素子Ｒ１の他端、およびスケーラー部１１に接続される。端子Ａ９からスケーラー部１１への信号は、Ｃａｂｌｅ＿ｃｋ信号である。ＲＳ−２３２Ｃ出力接続部１９のコネクタの端子Ｂ９は、アノードが電源、たとえば＋５Ｖの電源に接続されるダイオードＤのカソードに接続される。第１抵抗素子Ｒ１、ダイオードＤ、ＲＳ−２３２Ｃ入力接続部１８およびＲＳ−２３２Ｃ出力接続部１９は、主従設定手段である。
【００３０】
ＲＳ−２３２Ｃ入力接続部１８のコネクタがＲＳ−２３２Ｃ用接続ケーブルによって上流側のＲＳ−２３２Ｃ出力接続部１９のコネクタに接続される場合、ＲＳ−２３２Ｃ入力接続部１８のコネクタの端子Ａ９は、上流側のＲＳ−２３２Ｃ出力接続部１９のコネクタの端子Ｂ９と接続される。端子Ａ９が端子Ｂ９に接続されると、端子Ｂ９がダイオードＤを介して電源に接続されるので、Ｃａｂｌｅ＿ｃｋ信号は、電源の電圧からダイオードＤの電圧降下を減算した電圧（以下「ハイレベル」という）になる。そして、ＲＳ−２３２Ｃ入力接続部１８のコネクタがＲＳ−２３２Ｃ用接続ケーブルによって上流側のＲＳ−２３２Ｃ出力接続部１９のコネクタに接続されない場合、端子Ａ９が第１抵抗素子Ｒ１によってアースに接続されるので、Ｃａｂｌｅ＿ｃｋ信号は、アースの電圧（以下「ローレベル」という）になる。
【００３１】
したがって、スケーラー部１１は、Ｃａｂｌｅ＿ｃｋ信号がハイレベルであると、自ディスプレイ１０は上流側のディスプレイ１０と接続され、自ディスプレイ１０は下流側であることがわかる。また、Ｃａｂｌｅ＿ｃｋ信号がローレベルであると、自ディスプレイ１０の上流側には他のディスプレイ１０が接続されておらず、自ディスプレイ１０は最も上流側であることがわかる。スケーラー部１１は、Ｃａｂｌｅ＿ｃｋ信号がハイレベルであるとき、Ｃａｂｌｅ＿ｃｋレジスタ情報として、Ｃａｂｌｅ＿ｃｋ信号がハイレベルであることを示す「１」を、第１メモリ１２に記憶し、Ｃａｂｌｅ＿ｃｋ信号がローレベルであるとき、Ｃａｂｌｅ＿ｃｋレジスタ情報として、Ｃａｂｌｅ＿ｃｋ信号がローレベルであることを示す「０」を、第１メモリ１２に記憶する。
【００３２】
最も上流側のディスプレイ１０は、主ディスプレイ（以下「マスタディスプレイ」という）となり、マスタディスプレイの下流側にある他のすべてのディスプレイ１０は、従ディスプレイ（以下「スレーブディスプレイ」という）となる。主ディスプレイ装置であるマスタディスプレイは、ディスプレイＩＤを確定するために、後述する自動ＩＤ振り分けコマンドを下流のスレーブディスプレイに送信する。自動ＩＤ振り分けコマンドを受信した従ディスプレイ装置であるスレーブディスプレイは、それぞれのディスプレイＩＤを確定して、さらに下流のスレーブディスプレイに自動ＩＤ振り分けコマンドを転送する。
【００３３】
ＲＳ−２３２Ｃ入力接続部１８のコネクタの端子Ａ２，Ａ３、およびＲＳ−２３２Ｃ出力接続部１９のコネクタの端子Ｂ２，Ｂ３は、シリアル通信用の端子であり、スケーラー部１１に接続される。端子Ａ３からスケーラー部１１への信号は、ＲＳ２３２Ｃ＿ｉｎ＿ＴｘＤ信号であり、端子Ａ２からスケーラー部１１への信号は、ＲＳ２３２Ｃ＿ｉｎ＿ＲｘＤ信号である。スケーラー部１１から端子Ｂ３への信号は、ＲＳ２３２Ｃ＿ｏｕｔ＿ＲｘＤ信号であり、スケーラー部１１から端子Ｂ２への信号は、ＲＳ２３２Ｃ＿ｏｕｔ＿ＴｘＤ信号である。
【００３４】
図４は、スケーラー部１１の構成を示すブロック図である。スケーラー部１１は、ＣＰＵ２１、表示制御回路部２２およびＯＳＤ回路部２３を含む集積化された回路部によって構成される。ＣＰＵ２１は、第２メモリ１３に記憶される制御プログラムを実行することによって、表示制御回路部２２およびＯＳＤ回路部２３を制御するとともに、表示器１４、受光部１５、画像信号入力部１６、ＬＡＮ接続部１７、ＲＳ−２３２Ｃ入力接続部１８およびＲＳ−２３２Ｃ出力接続部１９を制御する。表示制御回路部２２は、額縁補正部２２１、拡大処理部２２２およびＯＳＤ重畳部２２３を含んで構成される。
【００３５】
図５は、額縁補正を説明するための図である。図５（ａ）は、画像を表す画像情報を２倍に拡大して表示するとき、額縁補正を行っていない表示例であり、図５（ｂ）は、額縁補正を行った表示例である。
【００３６】
拡大していない画像情報は、１フレームずつ１つのディスプレイ１０に表示される。画像を２倍に拡大する場合、縦横の長さがそれぞれ２倍に拡大されるので、１フレームの画像が４つに分割されて、縦２段横２列に隣接する４つのディスプレイ１０に、それぞれ分割された部分の画像（以下「分割画像」という）を表示することになる。図５に示した例では、４つのディスプレイ１０ａ，１０ｂ，１０ｄ，１０ｅに表示する例を示している。図５には、４つのディスプレイ１０ａ，１０ｂ，１０ｄ，１０ｅのそれぞれの表示器１４ａ，１４ｂ，１４ｄ，１４ｅを示している。各表示器１４は、液晶パネル１０１および額縁部１０２を含んで構成される。額縁部１０２は、液晶パネル１０１の周縁に液晶パネル１０１を囲うように設けられ、液晶パネル１０１を保持する。
【００３７】
１フレームの画像が４つに分割されたそれぞれの分割画像は、映像位置情報と、映像座標データとによって特定される。映像位置情報は、１フレームの画像の中に占める分割画像の位置を表す情報であり、何列目の何段目にあるかによって示される。具体的には、ｊ列目のｋ段目の分割画像の位置を「ｊ×ｋ」で表す。したがって、４つに分割される場合、１×１は、１列目の１段目の位置にある分割画像であることを表し、２×１は、２列目の１段目の位置にある分割画像であることを表し、１×２は、１列目の２段目の位置にある分割画像であることを表し、２×２は、２列目の２段目の位置にある分割画像であることを表す。
【００３８】
映像座標データは、分割画像の切り出し座標を表すデータである。具体的には、１フレームの画像を構成する画素のうち、最も左上の画素の位置を原点とし、右方向をＸ座標方向、下方向をＹ座標方向としたとき、分割画像の映像座標データは、その分割画像の最も左上の画素の位置を表す始点の座標と、その分割画像の最も右下の画素の位置を表す終点の座標とで表される。額縁補正を行う場合、映像座標データは、分割画像を構成する画素から額縁部１０２に隠す画素を除いた画素から構成される画像（以下「補正後分割画像」という）の始点および終点によって表される。
【００３９】
たとえば、２倍に拡大した後の１フレームの画素数がＸ座標方向に１９２０画素、Ｙ座標方向に１０８０画素であり、額縁部１０２の幅が２５画素とした場合、映像位置情報が１×１である補正後分割画像の映像座標データは、始点が座標（２５，２５）で表され、終点が座標（９３４，５１５）で表され、映像位置情報が２×１である補正後分割画像の映像座標データは、始点が座標（９８４，２５）で表され、終点が座標（１８９４，５１４）で表され、映像位置情報が１×２である補正後分割画像の映像座標データは、始点が座標（２５，５６５）で表され、終点が座標（９３４，１０５４）で表され、映像位置情報が２×２である補正後分割画像の映像座標データは、始点が座標（９８５，５６５）で表され、終点が座標（１８９４，１０５４）で表される。
【００４０】
額縁補正手段である額縁補正部２２１は、ＣＰＵ２１からの指示に応答して、画像信号入力部１６から送られてくる画像信号が表す画像情報を表示するとき、額縁部１０２があることによる画像の不連続を補正し、補正した画像情報を拡大処理部２２２に送る。図５（ａ）では、額縁補正が行われていないので、隣接する液晶パネル１０１に表示される画像が、額縁部１０２の両側で、画像が不連続になっているように見える。図５（ｂ）では、額縁補正部２２１が、画像が額縁部１０２に隠れているように補正するので、額縁部１０２の両側が額縁部１０２で、画像が連続しているように見える。
【００４１】
拡大処理部２２２は、額縁補正部２２１から受け取った画像情報を、ＣＰＵ２１から指示される拡大倍率で拡大し、拡大した画像情報をＯＳＤ重畳部２２３に送る。ＯＳＤ重畳部２２３は、拡大処理部２２２から受け取った画像情報に、ＯＳＤ拡大処理部２３３から受け取った設定画面情報を重畳し、重畳した画像情報を表示器１４に送る。重畳とは、画像情報と設定画面情報とを合成して、設定画面情報を表示する位置にある画像情報を設定画面情報に置き換えることである。
【００４２】
ＯＳＤ回路部２３は、ＯＳＤ生成部２３１およびＯＳＤ拡大処理部２３２を含んで構成される。ＯＳＤ生成部２３１は、ＣＰＵ２１からの指示に応答して、ＣＰＵ２１から受け取るＯＳＤ座標データおよびＯＳＤ位置情報に基づいて、ＯＳＤ表示する設定画面情報を生成し、生成した設定画面情報をＯＳＤ拡大処理部２３２に送る。ＯＳＤ座標データおよびＯＳＤ位置情報は、それぞれ画像情報についての映像座標データおよび映像位置情報に対応するものである。ただし、後述するように、設定画面に対して、額縁補正を行わない場合、たとえば、４つに分割した設定画面である分割設定画面についてのＯＳＤ座標データは、ＯＳＤ位置情報が１×１である分割設定画面については、始点が座標（０，０）で表され、終点が座標（９５９，５３９）で表される。また、ＯＳＤ位置情報が２×１である分割設定画面のＯＳＤ座標データは、始点が座標（９６０，０）で表され、終点が座標（１９１９，５３９）で表され、ＯＳＤ位置情報が１×２である分割設定画面のＯＳＤ座標データは、始点が座標（０，５４０）で表され、終点が座標（９５９，１０７９）で表され、ＯＳＤ位置情報が２×２である分割設定画面のＯＳＤ座標データは、始点が座標（９６０，５４０）で表され、終点が座標（１９１９，１０７９）で表される。ＯＳＤ拡大処理部２３２は、ＯＳＤ生成部２３１から受け取った設定画面情報を、ＣＰＵ２１から指示される拡大倍率で拡大し、拡大した設定画面情報をＯＳＤ重畳部２２３に送る。ＣＰＵ２１は、特定手段および表示制御手段である。
【００４３】
図６は、リモコン３０の外観図である。操作装置であるリモコン３０は、ディスプレイ１０を操作するための装置であり、ディスプレイ１０を操作するための操作情報を光信号として、ディスプレイ１０に送信する。
【００４４】
操作装置であるリモコン３０は、ＰＯＷＥＲボタン３１、ＩＮＰＵＴボタン３２、ＭＵＴＥボタン３３、ＭＥＮＵボタン３４、ＤＩＳＰＬＡＹボタン３５、ＭＯＤＥボタン３６、ＳＩＺＥボタン３７およびカーソルボタン３８などの操作ボタンを含む。ＰＯＷＥＲボタン３１は、ディスプレイ１０の電源を投入または切断するための操作ボタンである。ＩＮＰＵＴボタン３２は、画像信号入力部１６に入力される信号が複数あるとき、それらのうちから１つ選択される信号を切り換えるための操作ボタンである。ＭＵＴＥボタン３３は、音声の出力を停止または再開するための操作ボタンである。ＭＥＮＵボタン３４は、設定画面の表示、および設定画面の切り換えを行うための操作ボタンである。ＤＩＳＰＬＡＹボタン３５は、ディスプレイ１０に関する情報を表示するための操作ボタンである。ＭＯＤＥボタン３６は、カラーモードを切り換えるための操作ボタンである。ＳＩＺＥボタン３７は、画面サイズの切り換えを行うための操作ボタンである。カーソルボタン３８は、画面に表示されたカーソルを上下左右に移動させたり、音量の増減を指示したり、輝度の増減を指示するための操作ボタンである。
【００４５】
図７は、リモコン３０によるマルチディスプレイ装置１の操作を説明するための図である。リモコン３０は、いずれのディスプレイ１０に対しても操作情報を送信して、操作することができる。しかし、操作対象を１つのディスプレイ１０に制限するために、図１５で後述するように、マスタディスプレイにのみ操作情報を送信することができるように制御される。したがって、リモコン３０は、スレーブディスプレイには、操作情報を送信することはできない。
【００４６】
図７に示したマルチディスプレイ装置１は、ＲＳ−２３２Ｃ用接続ケーブルによって図１に示した構成で接続されており、ディスプレイ１０ａがマスタディスプレイであり、ディスプレイ１０ｂ〜１０ｉがスレーブディスプレイである。したがって、リモコン３０は、マスタディスプレイであるディスプレイ１０ａにのみ操作情報を送信することができる。
【００４７】
図８は、マスタディスプレイおよびスレーブディスプレイに表示される画面例を示す図である。以下、設定画面を３倍に拡大して表示する場合を例にして説明する。リモコン３０のＭＥＮＵボタン３４が押下されると、ＭＥＮＵボタン３４が押下されることを表す操作情報が、マスタディスプレイであるディスプレイ１０ａに送信される。
【００４８】
マスタディスプレイであるディスプレイ１０ａは、自ディスプレイ１０ａの調整メニュー画面４０を自ディスプレイ１０ａの液晶パネル１０１の中央部に表示する。スレーブディスプレイであるディスプレイ１０ｂ〜１０ｉは、自ディスプレイのディスプレイＩＤを表すディスプレイＩＤ情報４１ｂ〜４１ｉを、それぞれの液晶パネル１０１の左上に表示する。
【００４９】
このように、マスタディスプレイには、調整メニュー画面４０が表示され、スレーブディスプレイには、それぞれのディスプレイＩＤを表すディスプレイＩＤ情報４１が表示されるので、調整者は、どの位置にどのディスプレイが配置されているかを認識することができ、ディスプレイ１０の調整時の煩雑さを改善することができる。
【００５０】
図９は、ディスプレイＩＤの調整メニュー画面４０の一例を示す図である。調整メニュー画面４０には、画面のタイトルである調整メニュー（図では「ＡＤＪＵＳＴＭＥＮＴ  ＭＥＮＵ」と記す）４０１と、自ディスプレイ１０の第１メモリ１２に記憶されるＯＳＤ情報とが表示される。ＯＳＤ情報は、調整メニュー画面４０を表す設定画面情報であり、たとえばディスプレイＩＤ（図では「ＤＩＳＰＬＡＹ  ＩＤ」と記す）４０２、手動または自動（図では「ＭＡＮＵＡＬ  ＡＵＴＯ」と記す）４０７、コントラスト（図では「ＢＬＡＣＫ  ＬＥＶＥＬ」と記す）４０３、ブラックレベル（図では「ＣＯＮＴＲＡＳＴ」と記す）４０４、カラー（図では「ＣＯＬＯＲ」と記す）４０５、ホワイトバランス（図では「ＷＨＩＴＥ  ＢＡＬＡＮＣＥ」と記す）４０６などについて自ディスプレイ１０に設定されている情報である。
【００５１】
各ディスプレイ１０のディスプレイＩＤは、図１に示した構成では、ディスプレイ１０ａが「１」であり、ディスプレイ１０ｂが「２」であり、ディスプレイ１０ｃが「３」であり、ディスプレイ１０ｄが「４」であり、ディスプレイ１０ｅが「５」であり、ディスプレイ１０ｆが「６」であり、ディスプレイ１０ｇが「７」であり、ディスプレイ１０ｈが「８」であり、ディスプレイ１０ｉが「９」である。ディスプレイＩＤの項目は、選択項目である。調整メニュー画面４０のディスプレイＩＤである「ＤＩＳＰＬＡＹ  ＩＤ」４０２に設定されたディスプレイＩＤのディスプレイ１０は、予め定めるディスプレイ装置である。
【００５２】
図９（ａ）は、ディスプレイ１０ａの液晶パネル１０１に表示されたディスプレイ１０ａの調整メニュー画面４０ａの一例である。調整メニュー画面４０ａのディスプレイＩＤ４０２は「１」である。図９（ｂ）は、マスタディスプレイであるディスプレイ１０ａの液晶パネル１０１に表示された調整メニュー画面４０ａに応答して、調整メニュー画面４０ａのディスプレイＩＤ４０２を、リモコン３０によって、調整したいディスプレイ１０のディスプレイＩＤ「９」に変更した状態の調整メニュー画面４０ｂの一例である。調整メニュー画面４０ｂでは、ディスプレイＩＤ４０２は「９」であるが、その他のＯＳＤ情報は、ディスプレイ１０ａのＯＳＤ情報のままである。
【００５３】
図１０は、ディスプレイＩＤ情報４１の色の変化を説明するための図である。図１０（ａ）は、ディスプレイ１０ａの液晶パネル１０１にディスプレイ１０ａの調整メニュー画面４０ａが表示されているとき、スレーブディスプレイであるディスプレイ１０ｉの液晶パネル１０１に表示されるディスプレイＩＤ情報４１ｉ１を示す。ディスプレイＩＤ情報４１ｉ１は、たとえば青色の背景色で表示される。
【００５４】
図１０（ｂ）は、ディスプレイ１０ａの液晶パネル１０１にディスプレイ１０ｉの調整メニュー画面４０ｂが表示されているとき、スレーブディスプレイであるディスプレイ１０ｉの液晶パネル１０１に表示されるディスプレイＩＤ情報４１ｉ２を示す。ディスプレイＩＤ情報４１ｉ２は、たとえば赤色の背景色で表示される。このように、ディスプレイＩＤ情報４１の色を青色から目立つ赤色に変更することによって、赤色のディスプレイＩＤ情報４１が表示されているディスプレイ１０の調整メニュー画面４０が、マスタディスプレイの表示器１４に表示されていることをわかり易くすることができる。
【００５５】
図１１は、ディスプレイＩＤ情報４１の背景が赤色に変更された後の調整メニュー画面４０ｃの一例を示す図である。図１１は、図９（ｂ）に示した調整メニュー画面４０ｂで、リモコン３０によって、ディスプレイＩＤ４０２が「１」から「９」に変更された後、マスタディスプレイであるディスプレイ１０ａの表示器１４に表示されるディスプレイ１０ｉの調整メニュー画面４０ｃの一例である。
【００５６】
マスタディスプレイであるディスプレイ１０ａは、調整メニュー画面４０ｂで変更されたディスプレイＩＤ「９」のディスプレイ１０ｉから、ディスプレイ１０ｉのＯＳＤ情報を取得し、取得したＯＳＤ情報を第１メモリ１２に記憶する。また、取得したＯＳＤ情報を調整メニュー画面４０ｂに反映して、調整メニュー画面４０ｃを表示し、カーソル４０８を、ディスプレイＩＤ４０２から、手動または自動である「ＭＡＮＵＡＬ  ＡＵＴＯ」４０７の「ＭＡＮＵＡＬ」に移動する。図１１に示した調整メニュー画面４０ｃでは、ディスプレイＩＤは「９」であり、ディスプレイＩＤ以外のＯＳＤ情報も、ディスプレイ１０ｉのＯＳＤ情報に更新されている。さらに、マスタディスプレイであるディスプレイ１０ａは、更新されたＯＳＤ情報をスレーブディスプレイと共有するために、取得したＯＳＤ情報をスレーブディスプレイに転送する。スレーブディスプレイは、転送されたＯＳＤ情報をそれぞれの第１メモリ１２に記憶する。
【００５７】
図１２は、調整メニュー画面４０ｃから拡大メニュー画面４２への切り換えを説明するための図である。図１２（ａ）は、図１１に示した調整メニュー画面４０ｃと同じである。マスタディスプレイであるディスプレイ１０ａに調整メニュー画面４０ｃが表示されている状態で、リモコン３０のＭＥＮＵボタン３４が押下されると、マスタディスプレイであるディスプレイ１０ａの表示器１４に、図１２（ｂ）に示した拡大メニュー画面４２が表示される。
【００５８】
拡大メニュー画面４２には、画面のタイトルである拡大メニュー（図では「ＥＸＰＡＮＤ  ＭＥＮＵ」と記す）４２１と、自ディスプレイ１０の第１メモリ１２に記憶される拡大情報が表示される。拡大情報は、拡大メニュー画面４２を表す設定画面情報であり、たとえばディスプレイＩＤ（図では「ＤＩＳＰＬＡＹ  ＩＤ」と記す）４２２、水平サイズ（図では「Ｈ−ＳＩＺＥ」と記す）４２３、垂直サイズ（図では「Ｖ−ＳＩＺＥ」と記す）４２４、イメージ拡大（図では「ＩＭＡＧＥ  ＥＸＰＡＮＤ」と記す）４２５、ＯＳＤ倍率（図では「ＯＳＤ  ＥＸＰＡＮＤ」と記す）４２６、ＯＳＤ表示始点ＩＤ（図では「ＯＳＤ  ＰＯＳＩＴＩＯＮ」と記す）４２７などについて自ディスプレイ１０に設定されている情報である。ＯＳＤ倍率を表すＯＳＤ倍率情報は、予め定める倍率であり、拡大倍率情報ともいう。
【００５９】
図１３は、ＭＥＮＵボタン３４押下に伴う設定画面の変化を説明するための図である。いずれの設定画面も表示されていない状態で、ステップＲ１に移る。ステップＲ１では、設定画面が表示されていない状態で、ＭＥＮＵボタン３４が押下されると、ステップＲ２に進み、ステップＲ２では、調整メニュー画面４０が表示される。ステップＲ３では、調整メニュー画面４０が表示されている状態で、ＭＥＮＵボタン３４が押下されると、ステップＲ４に進み、ステップＲ４では、拡大メニュー画面４２が表示される。ステップＲ５では、拡大メニュー画面４２が表示されている状態で、ＭＥＮＵボタン３４が押下されると、ステップＲ６に進み、ステップＲ６では、拡大メニュー画面４２の表示が消去され、いずれの設定画面も表示されない状態となる。調整メニュー画面４０および拡大メニュー画面４２は、設定画面である。
【００６０】
図１４は、拡大メニュー画面４２での操作によって拡大された拡大メニュー画面４２ａを示す図である。図１２（ｂ）に示した拡大メニュー画面４２で、リモコン３０によって、拡大メニュー画面４２のＯＳＤ倍率である「ＯＳＤ  ＥＸＰＡＮＤ」４２６を「３」に設定すると、図１２（ｂ）に示した拡大メニュー画面４２を３倍に拡大した拡大メニュー画面４２ａが、マルチディスプレイ装置１に表示される。
【００６１】
図１５は、リモコン３０の有効無効を制御するための回路図である。ディスプレイ１０は、第２抵抗素子Ｒ２、オア回路である論理和回路２５およびドライバ２６，２７をさらに含む。受光部１５の出力は、論理和回路２５の１つの入力端子に接続され、スケーラー部１１からの出力であるＩＲ＿ＥＮ信号は論理和回路２５の他の入力端子に接続され、論理和回路２５の出力端子は、スケーラー部１１に接続される。そして、論理和回路２５の他の入力端子は、一端がアースに接続される第２抵抗素子Ｒ２の他端に接続される。第２抵抗素子Ｒ２および論理和回路２５は、有効手段である。
【００６２】
マスタディスプレイであるディスプレイ１０ａは、ＩＲ＿ＥＮ信号をローレベルとする。ＩＲ＿ＥＮ信号がローレベルであると、受光部１５は、リモコン３０から受信した光信号が表す情報をスケーラー部１１に送ることができる。スレーブディスプレイであるディスプレイ１０ｂ〜１０ｉは、ＩＲ＿ＥＮ信号をハイレベルとする。ＩＲ＿ＥＮ信号がハイレベルであると、論理和回路２５の出力は常にハイレベルとなり、受光部１５は、リモコン３０から受信した光信号が表す情報をスケーラー部１１に送ることができない。
【００６３】
すなわち、スケーラー部１１は、ＩＲ＿ＥＮ信号をローレベルにすることによって、リモコン３０からの操作情報を受け取ることを有効とし、ＩＲ＿ＥＮ信号をハイレベルにすることによって、リモコン３０からの操作情報を受け取ることを無効とすることができる。したがって、マスタディスプレイのみが、リモコン３０の操作による操作情報を受信することができるので、スレーブディスプレイが同時に操作されることを防止することができる。
【００６４】
図１６は、拡大メニュー画面４４の一例を示す図である。図１７は、拡大前後の表示例を示す図である。図１６，１７で、拡大倍率を変更したときの各ディスプレイ１０の動作を説明する。拡大メニュー画面４４は、調整したいディスプレイ１０としてディスプレイＩＤ「４」のディスプレイが設定されている。
【００６５】
図１６に示した拡大メニュー画面４４は、リモコン３０で、拡大メニュー画面４４のＯＳＤ倍率である「ＯＳＤ  ＥＸＰＡＮＤ」４２６が「１」から「２」に設定変更された状態を示している。図１７は、拡大前後の表示例を示す図である。図１７（ａ）は、ＯＳＤ倍率である「ＯＳＤ  ＥＸＰＡＮＤ」４２６に「２」が入力された時点に、ディスプレイ１０ａに拡大メニュー画面４４ａが表示されている状態であり、まだ、設定変更は完了しておらず、拡大メニュー画面４４ａは拡大されていない。図１７（ｂ）は、ＯＳＤ倍率が「２」に設定変更され、ディスプレイ１０ａ，１０ｂ，１０ｄ，１０ｅに２倍に拡大された拡大メニュー画面４４ｂが表示されている状態である。
【００６６】
マスタディスプレイであるディスプレイ１０ａは、拡大した拡大メニュー画面４４ｂを表示するために必要なディスプレイ１０を特定する。ＯＳＤ倍率が「２」に設定されると、拡大メニュー画面４４ａを２倍に拡大するので、４つのディスプレイ１０が必要である。起点となるディスプレイは、拡大メニュー画面４４ａのＯＳＤ表示始点ＩＤである「ＯＳＤ  ＰＯＳＩＴＩＯＮ」４２７が「１」であるので、マスタディスプレイであるディスプレイ１０ａである。ディスプレイ１０ａを起点として、２倍に拡大された拡大メニュー画面４４ｂを表示するためには、ディスプレイ１０ａと、ディスプレイ１０ａにそれぞれ隣接するディスプレイ１０ｂ，１０ｄ，１０ｅとが必要であり、ディスプレイ１０ａは、ディスプレイ１０ａ，１０ｂ，１０ｄ，１０ｅを必要なディスプレイ１０として特定する。
【００６７】
ディスプレイ１０ａは、スレーブディスプレイに、特定したディスプレイ１０のディスプレイＩＤと、拡大メニュー画面４４ｂを表す拡大情報とを送信する。ディスプレイ１０ａは、拡大した拡大メニュー画面４４ｂのうち、ディスプレイ１０ａの表示器１４に表示すべき部分を生成し、生成した拡大メニュー画面４４ｂの部分を表示器１４に表示させる。ディスプレイＩＤおよび拡大情報を受信したスレーブディスプレイのうち、受信したディスプレイＩＤのうちのいずれか１つのディスプレイＩＤが自ディスプレイＩＤに一致するディスプレイ１０は、受信した拡大情報を第１メモリ１２に記憶し、受信した拡大情報に基づいて、拡大した拡大メニュー画面４４ｂのうち、自ディスプレイ１０の表示器１４に表示すべき部分を生成し、生成した拡大メニュー画面４４ｂの部分を表示器１４に表示させる。ＯＳＤ情報および拡大情報は、設定画面情報である。拡大された設定画面のうち、各ディスプレイ１０の表示器１４に表示すべき部分を表す情報は、拡大設定画面部分情報である。
【００６８】
ディスプレイ１０ａは、１フレームごとの画像情報を表示するとき、映像表示タイミングに同期させるために、ＯＳＤ情報を第１メモリ１２に記憶させる。第１メモリ１２に記憶しておくことによって、ＯＳＤ情報が、映像タイミングに同期して読み出される。拡大メニュー画面４４は、調整者がマルチ構成でない単体のディスプレイのときと同様に操作することができるが、ディスプレイ１０ａは、拡大情報のうち、リモコン３０の操作によって変更された情報のみを、調整対象のディスプレイ１０に送信する。変更された情報を受信した調整対象のディスプレイ１０は、受信した変更された情報に基づいて、第１メモリ１２に記憶する拡大情報を更新する。各ディスプレイ１０は、フレームの周期で第１メモリ１２からＯＳＤ情報および拡大情報を読み出し、読み出したＯＳＤ情報および拡大情報に基づいて、調整メニュー画面あるいは拡大メニュー画面を表示するので、調整メニュー画面および拡大メニュー画面は、一定周期ごとに新たな設定画面に更新されて表示される。フレームの周期は、フレームを更新する周期であり、たとえば６０Ｈｚ周期であるが、用途に応じて周波数は変更される。
【００６９】
図１８は、設定画面に対する額縁補正を説明するための図である。表示制御回路部２２は、額縁部１０２による画像の縦横の間延びをなくすために、額縁補正部２２１によって、額縁部１０２に画像が隠れているように見せる額縁補正を行う。図１８（ａ）および図１８（ｂ）に示す画像４６ａが額縁補正部２２１によって補正された補正後の画像であり、画像が額縁部１０２に隠れているように見える。
【００７０】
しかし、設定画面について額縁補正を行うと、図１８（ａ）に示した調整メニュー画面４５ａのように、設定項目および設定内容などを表す文字情報の一部、たとえば、ディスプレイＩＤである「ＤＩＳＰＬＡＹ  ＩＤ」４０２およびホワイトバランスである「ＷＨＩＴＥ  ＢＡＬＡＮＣＥ」４０６などの項目およびそれらの内容を表す文字情報の一部が額縁部１０２に隠されて表示されず、設定作業の妨げとなる。ＯＳＤ拡大処理部２３２は、調整メニュー画面あるいは拡大メニュー画面などの設定画面に対しては、額縁補正を行うことなく、設定画面情報を拡大する。図１８（ｂ）は、ＯＳＤ拡大処理部２３２によって額縁補正を行うことなく、拡大した調整メニュー画面４５ｂを示しており、調整メニュー画面４５ｂに表示される設定項目および設定内容、たとえば、ディスプレイＩＤである「ＤＩＳＰＬＡＹ  ＩＤ」４０２およびホワイトバランスである「ＷＨＩＴＥ  ＢＡＬＡＮＣＥ」４０６などの項目およびそれらの内容などを表す文字情報の欠落は発生していない。
【００７１】
図１９は、ＣＰＵ２１が実行するマスタスレーブ判定処理の処理手順を示すフローチャートである。ディスプレイ１０の電源が投入され、動作可能になるとステップＡ１に移る。
【００７２】
ステップＡ１では、ＣＰＵ２１は、Ｃａｂｌｅ＿ｃｋロジックを第１メモリ１２へ格納する。具体的には、ＣＰＵ２１は、Ｃａｂｌｅ＿ｃｋ信号がハイレベルであると、Ｃａｂｌｅ＿ｃｋレジスタ情報として「１」を第１メモリ１２に記憶し、Ｃａｂｌｅ＿ｃｋ信号がローレベルであると、Ｃａｂｌｅ＿ｃｋレジスタ情報として「０」を第１メモリ１２に記憶する。ステップＡ２では、ＣＰＵ２１は、Ｃａｂｌｅ＿ｃｋロジックが「１」であるか否かを判定する。第１メモリ１２に記憶されるＣａｂｌｅ＿ｃｋレジスタ情報が「１」でないと、Ｃａｂｌｅ＿ｃｋロジックが「１」でないと判定し、ステップＡ３に進む。第１メモリ１２に記憶されるＣａｂｌｅ＿ｃｋレジスタ情報が「１」であると、Ｃａｂｌｅ＿ｃｋロジックが「１」であると判定し、ステップＡ５に進む。
【００７３】
ステップＡ３では、ＣＰＵ２１は、ＩＲ＿ＥＮ＝０を出力することによって、受光部１５の信号を有効にする。すなわち、ＩＲ＿ＥＮ信号をローレベルとすることによって、受光部１５が受信した光信号が表す操作情報をスケーラー部１１のＣＰＵ２１に送る。ステップＡ４では、ＣＰＵ２１は、自ディスプレイをマスタディスプレイとして動作させることを決定する。ステップＡ５では、ＣＰＵ２１は、ＩＲ＿ＥＮ＝１を出力することによって、受光部１５の信号を無効にする。すなわち、ＩＲ＿ＥＮ信号をハイレベルとすることによって、受光部１５が受信した光信号が表す操作情報をスケーラー部１１のＣＰＵ２１に送れないようにする。ステップＡ６では、ＣＰＵ２１は、自ディスプレイをスレーブディスプレイとして動作させることを決定する。
【００７４】
図２０は、マスタディスプレイのＣＰＵ２１が実行するマスタ処理の処理手順を示すフローチャートである。図１９に示したステップＡ４の後、ステップＡ１０に移る。
【００７５】
ステップＡ１０では、ＣＰＵ２１は、ＩＤ設定済みであるか否かを判定する。第１メモリ１２に記憶されるディスプレイＩＤが「０」でないとき、ＩＤ設定済みであると判定し、ステップＡ１３に進む。第１メモリ１２に記憶されるディスプレイＩＤが「０」であるとき、ＩＤ設定済みでないと判定し、ステップＡ１１に進む。ステップＡ１１では、ＣＰＵ２１は、自ディスプレイ１０のディスプレイＩＤを「１」に設定する。すなわち、第１メモリ１２に記憶されるディスプレイＩＤとして「１」を記憶する。
【００７６】
ステップＡ１２では、ＣＰＵ２１は、下流のディスプレイ１０に、自動ＩＤ振り分けコマンド（以下「振分コマンド」という）およびディスプレイＩＤ「１」を送信する。自動ＩＤ振り分けコマンドは、スレーブディスプレイに各自のディスプレイＩＤの割り振りを指示するコマンドであり、自動ＩＤ振り分けコマンドを受信したスレーブディスプレイは、受信したディスプレイＩＤに「１」を加算した値を自ディスプレイ１０のディスプレイＩＤとして確定し、確定したディスプレイＩＤを第１メモリ１２に記憶するとともに、自動ＩＤ振り分けコマンドおよび確定したディスプレイＩＤを、さらに下流のスレーブディスプレイに送信する。下流のスレーブディスプレイが接続されないスレーブディスプレイは、自ディスプレイ１０のディスプレイＩＤを確定し、確定したディスプレイＩＤを第１メモリ１２に記憶した後、自動ＩＤ振り分けコマンドの終了を上流側のスレーブディスプレイを順次経由して、マスタディスプレイに送信する。マスタディスプレイは、自動ＩＤ振り分けコマンドの終了を受信すると、すべてのディスプレイ１０のディスプレイＩＤが確定し、ディスプレイＩＤの割り振りが終了したことを認識することができる。
【００７７】
ステップＡ１３では、ＣＰＵ２１は、ＭＥＮＵ操作が行われたか否かを判定する。リモコン３０でＭＥＮＵボタン３４が操作されたことを示す操作情報を受光部１５から受け取ると、ＭＥＮＵ操作が行われたと判定し、ステップＡ１４に進む。リモコン３０でＭＥＮＵボタン３４が操作されたことを示す操作情報を受光部１５から受け取らないと、ＭＥＮＵ操作が行われなかったと判定し、ステップＡ１３に戻る。
【００７８】
ステップＡ１４では、ＣＰＵ２１は、モードを「１」に設定する。すなわち、モードは第１メモリ１２に記憶され、ＣＰＵ２１は、記憶されるモードを「１」にして、モード１に設定する。モード１は、自ディスプレイ１０を表示するモードであり、スレーブディスプレイは、モード１コマンドを受信したとき、自ディスプレイ１０をモード１に設定する。モード２は、拡大表示するモードであり、スレーブディスプレイは、モード２コマンドを受信したとき、自ディスプレイ１０をモード２に設定する。モード３は、ＯＳＤを消去するモードであり、スレーブディスプレイは、モード３コマンドを受信したとき、自ディスプレイ１０をモード３に設定する。
【００７９】
ステップＡ１５では、ＣＰＵ２１は、設定情報、つまりＯＳＤ情報をＯＳＤ表示する。すなわちＣＰＵ２１は、第１メモリ１２に記憶されるＯＳＤ情報に基づいて、ＯＳＤ回路部２３に調整メニュー画面情報を生成させ、生成させた調整メニュー画面情報を、ＯＳＤ重畳部２２３に送らせる。ＯＳＤ重畳部２２３は、調整メニュー画面情報を画像情報に重畳させて、表示器１４に表示させる。
【００８０】
ステップＡ１６では、ＣＰＵ２１は、下流のスレーブディスプレイにモード１コマンドを送信する。モード１コマンドは、スレーブディスプレイをモード１に設定するコマンドである。ステップＡ１７では、ＣＰＵ２１は、リモコン３０での操作が何であるか判定する。受光部１５からの操作情報が、リモコン３０での操作がディスプレイＩＤの入力であることを示しているとき、ステップＡ１８に進む。受光部１５からの操作情報が、リモコン３０での操作がＭＥＮＵボタン３４の押下であることを示しているとき、ステップＡ３０に進む。
【００８１】
ステップＡ１８では、ＣＰＵ２１は、リモコン３０での操作がディスプレイＩＤの入力であることを示している操作情報に含まれるディスプレイＩＤが、自ディスプレイＩＤに一致するか否かを判定する。自ディスプレイＩＤに一致するとき、ステップＡ２２に進み、自ディスプレイＩＤに一致しないとき、ステップＡ１９に進む。ステップＡ１９では、ＣＰＵ２１は、下流のスレーブディスプレイに、設定情報取得コマンドと入力されたディスプレイＩＤとを送信する。設定情報取得コマンドは、入力されたディスプレイＩＤに一致するディスプレイＩＤのディスプレイ１０に設定されている設定情報つまりＯＳＤ情報を、そのディスプレイ１０に、マスタディスプレイまで送信させるコマンドである。
【００８２】
ステップＡ２０では、ＣＰＵ２１は、設定情報を受信したか否かを判定する。設定情報を受信したとき、ステップＡ２１に進み、設定情報を受信しなかったとき、ステップＡ２３に進む。ステップＡ２１では、ＣＰＵ２１は、受信した設定情報を第１メモリ１２に記憶する。ステップＡ２２では、ＣＰＵ２１は、第１メモリ１２に記憶される設定情報をＯＳＤ表示し、ステップＡ１７に戻る。ＯＳＤ表示は、設定画面を表す設定画面情報などを、画像情報に重畳して表示することである。すなわち、ＣＰＵ２１は、ＯＳＤ回路部２３に、第１メモリ１２に記憶される設定情報つまりＯＳＤ情報に基づいて、調整メニュー画面情報を生成させ、生成させた調整メニュー画面情報をＯＳＤ重畳部２２３に送らせ、ステップＡ１７に戻る。ＣＰＵ２１は、ＯＳＤ重畳部２２３に、調整メニュー画面情報を画像情報に重畳させて、表示器１４に表示させる。
【００８３】
ステップＡ２３では、ＣＰＵ２１は、タイムアウトであるか否かを判定する。ステップＡ１９で設定情報取得コマンドを送信してから、監視時間、たとえば３０秒の時間が経過したとき、ステップＡ２４に進む。監視時間は、各ディスプレイ１０のレスポンス特性に基づいて定められ、通常３０秒〜１分程度であるが、本実施形態では３０秒としている。ステップＡ１９で設定情報取得コマンドを送信してから、監視時間が経過しなかったとき、ステップＡ２０に戻る。
【００８４】
ステップＡ２４では、ＣＰＵ２１は、設定情報取得コマンドがタイムアウトになった旨を表すエラー表示情報を生成し、生成したエラー表示情報を、ＯＳＤ重畳部２２３に送り、表示器１４に表示させて、ステップＡ１７に戻る。
【００８５】
ステップＡ３０では、ＣＰＵ２１は、現在のモードが何であるか判定する。現在のモードがモード１であるとき、ステップＡ３１に進み、現在のモードがモード２であるとき、ステップＡ３７に進み、現在のモードがモード３であるとき、ステップＡ１４に戻る。ステップＡ３１では、ＣＰＵ２１は、モードを「２」に設定する。すなわち、ＣＰＵ２１は、第１メモリ１２に記憶されるモードを「２」にして、モード２に設定する。
【００８６】
ステップＡ３２では、ＣＰＵ２１は、図２２で後述する拡大倍率・始点情報処理を実行する。拡大倍率・始点情報処理は、設定画面を拡大する倍率である拡大倍率、および拡大倍率で拡大した拡大設定画面の起点となるディスプレイ１０を決定する。始点情報、つまりＯＳＤ表示始点ＩＤは、拡大設定画面の起点となるディスプレイ１０のディスプレイＩＤを表す情報である。ステップＡ３３では、ＣＰＵ２１は、図２３で後述する対象ディスプレイ特定処理を実行する。対象ディスプレイ特定処理は、設定画面を拡大して表示するために必要なディスプレイ１０を特定する処理である。
【００８７】
ステップＡ３４では、ＣＰＵ２１は、設定情報および対象ディスプレイＩＤを第１メモリ１２から読み出し、読み出した設定情報および対象ディスプレイＩＤと、モード２コマンドとを、下流側のディスプレイ１０、すなわちスレーブディスプレイに送信する。対象ディスプレイＩＤは、ステップＡ３３での対象ディスプレイ特定処理で特定されたディスプレイのディスプレイＩＤである。このとき、ＣＰＵ２１は、設定情報に拡大倍率およびＯＳＤ表示始点ＩＤを含めて、スレーブディスプレイに送信する。
【００８８】
ステップＡ３５では、ＣＰＵ２１は、対象ディスプレイＩＤが自ディスプレイＩＤを含むか否かを判定する。対象ディスプレイＩＤが自ディスプレイＩＤを含むとき、ステップＡ３６に進み、対象ディスプレイＩＤが自ディスプレイＩＤを含まないとき、ステップＡ１７に戻る。ステップＡ３６では、ＣＰＵ２１は、後述する拡大表示処理を実行して、ステップＡ１７に戻る。
【００８９】
ステップＡ３７では、ＣＰＵ２１は、モードを「３」に設定する。すなわち、ＣＰＵ２１は、第１メモリ１２に記憶されるモードを「３」にして、モード３に設定する。ステップＡ３８では、ＣＰＵ２１は、設定情報の表示を消去する。すなわち、表示器１４に重畳して表示している設定画面または拡大設定画面の表示を終了する。ステップＡ３９では、ＣＰＵ２１は、モード３コマンドを、下流側のディスプレイ１０、すなわちスレーブディスプレイに送信して、ステップＡ１７に戻る。
【００９０】
図２２は、スレーブディスプレイのＣＰＵ２１が実行するスレーブ処理の処理手順を示すフローチャートである。図１９に示したステップＡ６の後、ステップＡ４０に移る。
【００９１】
ステップＡ４０では、ＣＰＵ２１は、コマンドを受信したか否かを判定する。コマンドを受信したとき、ステップＡ４１に進み、コマンドを受信しなかったとき、ステップＡ４０に戻る。ステップＡ４１では、ＣＰＵ２１は、受信コマンド、つまり受信したコマンドが何であるかを判定する。受信コマンドが、振分コマンドであるとき、ステップＡ４２に進み、受信コマンドが、モード１コマンドであるとき、ステップＡ４６に進み、受信コマンドが、モード２コマンドであるとき、ステップＡ５０に進み、受信コマンドが、モード３コマンドであるとき、ステップＡ５６に進み、受信コマンドが、設定情報取得コマンドであるとき、ステップＡ６０に進む。
【００９２】
ステップＡ４２では、ＣＰＵ２１は、ＩＤを受信する。すなわちマスタディスプレイまたは上流側のスレーブディスプレイが振分コマンドによって送信したディスプレイＩＤを受信する。ステップＡ４３では、ＣＰＵ２１は、ＩＤ＝ＩＤ＋１とする。すなわち、ＣＰＵ２１は、受信したディスプレイＩＤに「１」を加算する。ステップＡ４４では、ＣＰＵ２１は、加算後のディスプレイＩＤを自ディスプレイＩＤとして、第１メモリ１２に記憶して設定する。ステップＡ４５では、ＣＰＵ２１は、下流のディスプレイ１０に、振分コマンドおよび加算後のディスプレイＩＤを送信し、ステップＡ４０に戻る。
【００９３】
ステップＡ４６では、ＣＰＵ２１は、自ディスプレイＩＤを表示する。具体的には、図８のスレーブディスプレイであるディスプレイ１０ｂ〜１０ｉが表示しているように、画面の左上に自ディスプレイＩＤを青色の背景色で表示する。ステップＡ４７では、ＣＰＵ２１は、下流のディスプレイ１０に、モード１コマンドを送信し、ステップＡ４０に戻る。
【００９４】
ステップＡ５０では、ＣＰＵ２１は、ＩＤを受信する。すなわち、マスタディスプレイまたは上流側のスレーブディスプレイがモード２コマンドによって送信したディスプレイＩＤを受信する。ステップＡ５１では、ＣＰＵ２１は、設定情報を受信する。すなわち、マスタディスプレイまたは上流側のスレーブディスプレイがモード２コマンドによって送信した設定情報を受信する。受信した設定情報には、拡大倍率およびＯＳＤ表示始点ＩＤが含まれる。ステップＡ５２では、ＣＰＵ２１は、受信したディスプレイＩＤおよび設定情報を第１メモリ１２に記憶する。ステップＡ５３では、ＣＰＵ２１は、下流のディスプレイ１０に、モード２コマンドと、受信したディスプレイＩＤおよび設定情報とを送信する。
【００９５】
ステップＡ５４では、ＣＰＵ２１は、受信したディスプレイＩＤが自ディスプレイＩＤを含むか否かを判定する。受信したディスプレイＩＤが自ディスプレイＩＤを含むとき、ステップＡ５５に進み、受信したディスプレイＩＤが自ディスプレイＩＤを含まないとき、ステップＡ４０に戻る。ステップＡ５５では、ＣＰＵ２１は、後述する拡大表示処理を実行して、ステップＡ４０に戻る。ステップＡ５６では、ＣＰＵ２１は、設定情報の表示を消去する。すなわち、表示器１４に重畳して表示している設定画面または拡大設定画面の表示を終了する。ステップＡ５７では、ＣＰＵ２１は、下流のディスプレイ１０に、モード３コマンドを送信し、ステップＡ４０に戻る。
【００９６】
ステップＡ６０では、ＣＰＵ２１は、ＩＤを受信する。すなわち、マスタディスプレイまたは上流側のスレーブディスプレイが設定情報取得コマンドによって送信したディスプレイＩＤを受信する。ステップＡ６１では、ＣＰＵ２１は、受信したディスプレイＩＤが自ディスプレイＩＤを含むか否かを判定する。受信したディスプレイＩＤが自ディスプレイＩＤを含むとき、ステップＡ６２に進み、受信したディスプレイＩＤが自ディスプレイＩＤを含まないとき、ステップＡ６４に進む。
【００９７】
ステップＡ６２では、ＣＰＵ２１は、自ディスプレイＩＤを表示する。具体的には、図８のスレーブディスプレイであるディスプレイ１０ｉが表示しているように、画面の左上に自ディスプレイＩＤを表示する。このとき、赤色の背景色にして表示する。ステップＡ６３では、ＣＰＵ２１は、第１メモリ１２から自ディスプレイの設定情報を読み出し、読み出した設定情報を上流のディスプレイ１０に送信して、ステップＡ４０に戻る。
【００９８】
ステップＡ６４では、ＣＰＵ２１は、下流のディスプレイ１０に、受信したディスプレイＩＤと設定情報取得コマンドとを送信する。ステップＡ６５では、ＣＰＵ２１は、下流のディスプレイ１０から設定情報を受信したか否かを判定する。下流のディスプレイ１０から設定情報を受信したとき、ステップＡ６６に進み、下流のディスプレイ１０から設定情報を受信しなかったとき、ステップＡ６５に戻る。ステップＡ６６では、ＣＰＵ２１は、受信した設定情報を上流のディスプレイ１０に送信して、ステップＡ４０に戻る。
【００９９】
図２２は、ＣＰＵ２１が実行する拡大倍率・始点情報処理の処理手順を示すフローチャートである。図２０に示したフローチャートのステップＡ３２で、拡大倍率・始点情報処理が実行されたとき、ステップＢ１に移る。ステップＢ１では、ＣＰＵ２１は、「Ｄｎ」をＯＳＤ表示始点ＩＤとし、「ｎ」をＯＳＤ倍率とし、Ｘｍａｘを横ディスプレイ数とし、Ｙｍａｘを縦ディスプレイ数とし、Ｄｍａｘを全ディスプレイ数として、拡大倍率・始点情報処理を終了する。
【０１００】
ＯＳＤ表示始点ＩＤは、拡大メニュー画面４２の「ＯＳＤ  ＰＯＳＩＴＩＯＮ」に設定された値であり、拡大設定画面の起点となるディスプレイのディスプレイＩＤである。拡大設定画面の起点は、拡大画面のうち、左上の部分が表示されるディスプレイのディスプレイＩＤである。ＯＳＤ倍率は、拡大メニュー画面４２の「ＯＳＤ  ＥＸＰＡＮＤ」に設定された値であり、設定画面を拡大する拡大倍率である。横ディスプレイ数は、マルチディスプレイ装置１の左右方向に配列されるディスプレイ１０の列数である。縦ディスプレイ数は、マルチディスプレイ装置１の上下方向に配列されるディスプレイ１０の段数である。全ディスプレイ数は、マルチディスプレイ装置１を構成するディスプレイ１０の数である。
【０１０１】
図２３は、ＣＰＵ２１が実行する対象ディスプレイ特定処理の処理手順を示すフローチャートである。図２０に示したフローチャートのステップＡ３３で、対象ディスプレイ特定処理が実行されたとき、ステップＣ１に移る。
【０１０２】
ステップＣ１では、ＣＰＵ２１は、「Ｄｍａｘ÷ｎ」が「ｎ」未満であるか否かを判定する。「Ｄｍａｘ÷ｎ」が「ｎ」未満であるとき、対象ディスプレイ特定処理を終了し、「Ｄｍａｘ÷ｎ」が「ｎ」未満でないとき、ステップＣ２に進む。「Ｄｍａｘ÷ｎ」が「ｎ」未満であるか否かの判定で、何倍まで設定画面の拡大表示が可能かを判定している。たとえば、５×５構成のマルチディスプレイでは、Ｄｍａｘ＝２５であり、５倍以下の拡大が可能である。たとえばｎ＝５であれば、「ＮＯ」と判定され、ステップＣ２に進み、ｎ＝６であれば、「ＹＥＳ」と判定され、対象ディスプレイ特定処理を終了する。
【０１０３】
ステップＣ２では、ＣＰＵ２１は、Ｂ＝１、つまり変数Ｂを「１」とする。ステップＣ３では、ＣＰＵ２１は、Ａ＝１、つまり変数Ａを「１」とする。ステップＣ４では、ＣＰＵ２１は、Ｄ（Ａ，Ｂ）を「Ｄｎ＋（Ｘｍａｘ×（Ａ−１））＋（Ｂ−１）」とする。すなわち、変数Ｄ（Ａ，Ｂ）は、対象となるディスプレイ、つまりＯＳＤ倍率ｎ倍の拡大設定画面を表示するために必要なディスプレイの数を計算するための変数である。
【０１０４】
Ｄ（Ａ，Ｂ）のＡは、段数のうち何段目かを示し、Ｂは列数のうち何列目かを示す。たとえば、５×５構成で、ＯＳＤ倍率３倍で拡大するには、拡大設定画面を９台のディスプレイ１０で表示することになる。具体的には、ＯＳＤ表示始点ＩＤが「１」である場合、拡大設定画面を９分割し、ディスプレイの位置を列数ｘと段数ｙとの座標（ｘ，ｙ）で表すと、座標（１，１），（１，２），（１，３），（２，１），（２，２），（２，３），（３，１），（３，２），（３，３）に配置される９台のディスプレイ１０で表示することになる。変数Ｄ（Ａ，Ｂ）が全ディスプレイ数Ｄｍａｘを超えないようしている。以下、この座標（ｘ，ｙ）をＯＳＤ分割座標という。
【０１０５】
ステップＣ５では、ＣＰＵ２１は、Ａ＝ｎであるか否かを判定する。変数Ａの値がＯＳＤ倍率ｎに等しいとき、Ａ＝ｎであると判定し、ステップＣ６に進み、変数Ａの値がＯＳＤ倍率ｎに等しくないとき、Ａ＝ｎでないと判定し、ステップＣ８に進む。ステップＣ６では、ＣＰＵ２１は、Ｂ＝ｎであるか否かを判定する。変数Ｂの値がＯＳＤ倍率ｎに等しいとき、Ｂ＝ｎであると判定し、ステップＣ７に進み、変数Ｂの値がＯＳＤ倍率ｎに等しくないとき、Ｂ＝ｎでないと判定し、ステップＣ９に進む。ステップＣ７では、ＣＰＵ２１は、Ｄ（Ａ，Ｂ）がＤｍａｘ以下であるか否かを判定する。Ｄ（Ａ，Ｂ）がＤｍａｘ以下であるとき、対象ディスプレイ特定処理を終了し、Ｄ（Ａ，Ｂ）がＤｍａｘ以下でないとき、ステップＣ１０に進む。
【０１０６】
ステップＣ８では、ＣＰＵ２１は、Ａ＝Ａ＋１とし、つまり変数Ａに「１」を加算して、ステップＣ４に戻る。ステップＣ９では、ＣＰＵ２１は、Ｂ＝Ｂ＋１とし、つまり変数Ｂに「１」を加算して、ステップＣ３に戻る。ステップＣ１０では、ＣＰＵ２１は、画面オーバーエラーを表す画面オーバーエラー情報を表示器１４に表示させて、対象ディスプレイ特定処理を終了する。
【０１０７】
図２４は、ＣＰＵ２１が実行する拡大表示処理の処理手順を示すフローチャートである。図２０に示したフローチャートのステップＡ３６または図２１に示したフローチャートのステップＡ５５で、拡大表示処理が実行されたとき、ステップＤ１に移る。
【０１０８】
ステップＤ１では、ＣＰＵ２１は、ＯＳＤ生成部２３１に、ＯＳＤ分割座標から表示するＯＳＤデータを生成させる。ＯＳＤ分割座標は、上述した座標（ｘ，ｙ）のことである。すなわち、ＣＰＵ２１は、ＯＳＤ生成部２３１に、上述した座標（ｘ，ｙ）に基づいて、表示するＯＳＤデータを生成させる。ＯＳＤデータは、設定画面の設定画面情報である。
【０１０９】
ステップＤ２では、ＣＰＵ２１は、ＯＳＤ拡大処理部２３２に、ＯＳＤ倍率ｎに基づいてＯＳＤデータを拡大させる。ＯＳＤ倍率ｎは拡大倍率である。ステップＤ３では、ＣＰＵ２１は、拡大したＯＳＤデータをＯＳＤ重畳部２２３に送り、ＯＳＤデータを画像情報に重畳させ、拡大表示処理を終了する。
【０１１０】
上述した実施形態では、ディスプレイ１０ａをマスタディスプレイとしたが、必ずしもディスプレイ１０ａをマスタディスプレイとする必要はなく、ディスプレイ１０ｂ〜１０ｉのうちのいずれか１つをマスタディスプレイとし、他のディスプレイ１０をスレーブディスプレイとすることも可能である。
【０１１１】
また、上述した実施形態では、マルチディスプレイ装置１を３×３構成で実現したが、この構成に限定されるものではなく、ｍ×ｎ構成（ｍ，ｎは、ｍ＞３かつｎ＞３を満たす整数）の構成であってもよい。ｍ，ｎの数が大きいほど全体を見渡すためにマルチディスプレイ装置１から離れる必要があり、設定画面を拡大することができることによる効果を発揮することができる。
【０１１２】
このように、複数のディスプレイ１０は、画像を表す画像情報または自装置の設定を行うための設定画面を表す設定画面情報を表示するための表示器１４をそれぞれ有し、それぞれ隣接して予め規定されている接続構成および接続順序に配置される。そして、該複数のディスプレイ１０は、１つの表示器１４に表示するための画像情報を拡大して該複数のディスプレイ１０の表示器１４に表示することができる。各ディスプレイ１０は、第１抵抗素子Ｒ１、ダイオードＤ、ＲＳ−２３２Ｃ入力接続部１８およびＲＳ−２３２Ｃ出力接続部１９と、ＣＰＵ２１と、ＲＳ−２３２Ｃ出力接続部１９と、ＲＳ−２３２Ｃ入力接続部１８とをさらに含む。第１抵抗素子Ｒ１、ダイオードＤ、ＲＳ−２３２Ｃ入力接続部１８およびＲＳ−２３２Ｃ出力接続部１９は、前記複数のディスプレイ１０の１つをマスタディスプレイとし、マスタディスプレイを除く残余のディスプレイ１０をスレーブディスプレイに設定する。ＣＰＵ２１は、予め定めるディスプレイ装置の設定画面情報が示す設定画面の大きさを予め定める倍率に拡大した拡大設定画面を表示するために必要なディスプレイ１０を特定する。ＲＳ−２３２Ｃ出力接続部１９は、第１抵抗素子Ｒ１、ダイオードＤ、ＲＳ−２３２Ｃ入力接続部１８およびＲＳ−２３２Ｃ出力接続部１９によってスレーブディスプレイに設定されたディスプレイ１０に、ＣＰＵ２１によって特定されたディスプレイ１０を識別するためのディスプレイＩＤ、予め定める倍率を表す拡大倍率情報、および設定画面情報を送信する。ＲＳ−２３２Ｃ入力接続部１８は、他のディスプレイのＲＳ−２３２Ｃ出力接続部１９によって送信されたディスプレイＩＤ、拡大倍率情報および設定画面情報を受信する。そして、ＣＰＵ２１は、ＲＳ−２３２Ｃ入力接続部１８によって受信されたディスプレイＩＤが自ディスプレイ１０のディスプレイＩＤに一致すると、ＲＳ−２３２Ｃ入力接続部１８によって受信された設定画面情報が示す設定画面のうち、自ディスプレイ１０に表示すべき部分を特定し、特定した設定画面の部分を、ＲＳ−２３２Ｃ入力接続部１８によって受信された拡大倍率情報が示す倍率に拡大し、拡大した設定画面の部分を表す拡大設定画面部分情報を表示器１４に表示させる。したがって、マルチ構成のディスプレイ１０に表示される設定画面を離れた位置から判読することができるように拡大することができる。
【０１１３】
さらに、リモコン３０は、ディスプレイ１０を操作する。第２抵抗素子Ｒ２および論理和回路２５は、各ディスプレイ１０は、リモコン３０で行われる操作をマスタディスプレイに対してのみ有効とする。ＣＰＵ２１は、前記予め定めるディスプレイ装置の設定画面情報をマスタディスプレイの表示器１４に表示させる。そして、前記予め定める倍率は、ＣＰＵ２１によってマスタディスプレイの表示器１４に表示された設定画面情報が示す設定画面に応答して、リモコン３０によって設定された倍率である。したがって、表示装置が複数のディスプレイ１０で構成されていても、１つディスプレイ１０に対して、リモコン３０によって拡大倍率を指定することができる。
【０１１４】
さらに、前記設定画面情報が示す設定画面は、前記複数のディスプレイ１０の中から１つのディスプレイ１０を選択するディスプレイＩＤの項目を含む。そして、前記予め定めるディスプレイ装置は、ＣＰＵ２１によってマスタディスプレイの表示器１４に表示された設定画面情報が示す設定画面のディスプレイＩＤの項目に応答して、リモコン３０によって設定されたディスプレイ１０である。したがって、表示装置が複数のディスプレイ１０で構成されていても、リモコン３０によって、調整対象のディスプレイ１０として１つディスプレイ１０を選択することができる。
【０１１５】
さらに、表示器１４は、液晶パネル１０１および該液晶パネル１０１の周縁に設けられる額縁部１０２を含む。そして、額縁補正部２２１は、画像情報および設定画面情報のうち、画像情報に対してのみ額縁部１０２に表示しているように額縁補正を行う。したがって、画像情報の間延びを防止するとともに、設定画面に表示される設定項目および設定情報などの文字情報の欠落を防止することができる。
【符号の説明】
【０１１６】
１  マルチディスプレイ装置
１０  ディスプレイ
１１  スケーラー部
１２  第１メモリ
１３  第２メモリ
１４  表示器
１５  受光部
１６  画像信号入力部
１７  ＬＡＮ接続部
１８  ＲＳ−２３２Ｃ入力接続部
１９  ＲＳ−２３２Ｃ出力接続部
２１  ＣＰＵ
２２  表示制御回路部
２３  ＯＳＤ回路部
１０１  液晶パネル
１０２  額縁部
２２１  額縁補正部
２２２  拡大処理部
２２３  ＯＳＤ重畳部
２３１  ＯＳＤ生成部
２３２  ＯＳＤ拡大処理部
Ｄ  ダイオード
Ｋ１〜Ｋ８  接続ケーブル
Ｒ１  第１抵抗素子
Ｒ２  第２抵抗素子
【図１】
2011244356.tif 000003
【図２】
2011244356.tif 000004
【図３】
2011244356.tif 000005
【図４】
2011244356.tif 000006
【図５】
2011244356.tif 000007
【図６】
2011244356.tif 000008
【図７】
2011244356.tif 000009
【図８】
2011244356.tif 000010
【図９】
2011244356.tif 000011
【図１０】
2011244356.tif 000012
【図１１】
2011244356.tif 000013
【図１２】
2011244356.tif 000014
【図１３】
2011244356.tif 000015
【図１４】
2011244356.tif 000016
【図１５】
2011244356.tif 000017
【図１６】
2011244356.tif 000018
【図１７】
2011244356.tif 000019
【図１８】
2011244356.tif 000020
【図１９】
2011244356.tif 000021
【図２０】
2011244356.tif 000022
【図２１】
2011244356.tif 000023
【図２２】
2011244356.tif 000024
【図２３】
2011244356.tif 000025
【図２４】
2011244356.tif 000026